(57)【要約】【課題】  多角錐又は円錐形状を有する外形形状の整った氷雪製建造物を短時間で比較的容易に製作することを可能とする。【解決手段】  一対の台形型板と、四角形型板とのうち、一種類以上の型板を取り外し可能に接合しながら地上に立設し、これらの上部に一対の台形型板と、四角形型板とのうち、一種類以上の型板を取り外し可能に積み上げ接合し、この積み上げ接合を任意段数繰り返し周壁部の仮設形状を形成し、該周壁部の上部に適宜枚数の三角形型板を互いに隣接して取り外し可能に接合して角錐又は円錐の仮設形状を形成し、この仮設形状を支えとして、三角形型板、一対の台形型板及び四角形型板の形状に対応する雪塊又は氷塊からなるブロック片を、三角形型板、一対の台形型板及び四角形型板に沿って順次積み重ねながら、相互に接合して製作する。【選択図】  図１
2006177085.tif 000002
【特許請求の範囲】
【請求項１】
壁面形成部が三角形状を有する三角形型板と、壁面形成部がそれぞれ台形形状を有し、互いに左右対称の形状を有する一対の台形型板と、壁面形成部が四角形状を有する四角形型板と、を有し、
１枚以上の前記三角形型板を互いに隣り合わせて接合して連続させることにより、多角錐又は円錐を形成し、前記一対の台形型板は、前記三角形型板の下部に連続して接合可能であるとともに、互いに隣り合わせて接合することにより平面を形成する第１側辺と、互いに隣り合わせて接合することにより屈曲部を形成する第２側辺とをそれぞれ有し、四角形型板は前記一対の台形型板の上下及び左右方向に連続して接合可能であり、
前記三角形型板のみ、又は、前記一対の台形型板と、四角形型板とのうち、一種類以上の型板と三角形型板との組み合わせにより、角錐又は円錐状の仮設形状を形成し、前記各型板に対応する形状をなす雪塊又は氷塊からなるブロック片を、前記各型板に合わせて積み重ね接合してなることを特徴とする多角錐形状を有する氷雪製建造物。
【請求項２】
前記一対の台形型板及び四角形型板の組み合わせ枚数により氷雪建造物の大きさが可変である請求項１記載の多角錐形状を有する氷雪製建造物。
【請求項３】
一対の台形型板と、四角形型板とのうち、一種類以上の型板を取り外し可能に接合しながら地上に立設し、前記地上に立設した型板の上部に一対の台形型板と、四角形型板とのうち、一種類以上の型板を取り外し可能に積み上げ接合し、この積み上げ接合を任意段数繰り返し周壁部の仮設形状を形成する工程と、該周壁部の上部に適宜枚数の三角形型板を互いに隣接して取り外し可能に接合して角錐又は円錐の仮設形状を形成する工程と、型枠に、雪及び氷のうち、少なくとも一方を投入し、前記三角形型板、一対の台形型板及び四角形型板の形状に対応する雪塊又は氷塊からなるブロック片を形成する工程と、前記ブロック片を、前記三角形型板、一対の台形型板及び四角形型板に沿って順次積み重ねながら、相互に接合する工程とを備えていることを特徴とする多角錐形状を有する氷雪製建造物の製作方法。
【請求項４】
氷雪製建造物の頂点を構成する円錐形のブロック片を製作する型枠は、円錐形の外壁部、該外壁部と同心且つ小径の内壁部、該外壁部と該内壁部との間の下部空間を塞ぐ下部、及び該外壁部と該内壁部との間に形成され、雪、水などブロック片の材料が投入される内部空間が構成され、
円筒形のブロック片を製作するための型枠は、頂点を構成する前記型枠と同角度で上部から下方に向かって傾斜する円筒を軸方向に２分割した形状を有しており、
円筒の外壁を形成する外壁部、該外壁部と同心且つ小径であり、円筒の内壁を形成する内壁部、該外壁部と該内壁部との上部空間を塞ぐ上部と、下部空間を塞ぐ下部、及び該外壁部と該内壁部との間に形成され、雪、水などブロック片の材料が投入される内部空間が構成され、
円錐形ブロック片及び円筒形ブロック片の形状寸法に対応した円錐形型板及び円筒形型板を用いて、２つの円筒形型板を互いに隣り合わせて地上に立設して接合し、円筒形型板の上部に円錐形型板を接合して、仮設形状を形成し、
次に、２つの円筒形ブロック片を円筒形型板の支えとして地上に立設し、隣り合う円筒形ブロック片の側面同士を接合した後、円錐形ブロック片を円筒形ブロック片の上部に配設し、円錐形ブロック片の下部と円筒形ブロック片の上部とを接合することにより製作することを特徴とする円錐形状を有する氷雪製建造物の製作方法。
【発明の詳細な説明】
【技術分野】
【０００１】
本発明は、冬季に行われる各種のイベント会場における店舗等の商業的用途に適する  多角錐又は円錐形状を有する氷雪製建造物、及びその製作方法に関するものである。
【背景技術】
【０００２】
北国の風物詩であるかまくらに代表される氷雪製建造物は、個人的な楽しみとして製作される他、各種行事やイベント等においても製作され使用されている。氷雪製建造物の製作方法としては、種々のものが知られている。最も簡単な方法は、雪を積み上げて固め、内部をくり抜く方法である。また、ポールを組み立ててポールの上にシートを掛け、その上に雪を積み上げて固める方法もある。さらに、氷のブロックを積み上げて製作する方法もある。
【０００３】
しかしながら、いずれの方法も、製作するのに時間がかかるため、コスト高になり、商業的な用途に使用するには、適さないという問題がある。また、ボールを使用して製作する氷雪製建造物の場合、外形が不揃いになるという不都合もある。特に、多角錐や円錐などの外形形状を有する氷雪製建造物の場合、外形形状を整えるためにかなり時間がかかる。
【発明の開示】
【発明が解決しようとする課題】
【０００４】
本発明は、多角錐や円錐などの外形形状を有する外形形状の整った氷雪製建造物を短時間で比較的容易に製作することと目的としてなされたものである。
【課題を解決するための手段】
【０００５】
本発明は、三角形型板のみ、又は、一対の台形型板と、四角形型板とのうち、一種類以上の型板と三角形型板との組み合わせにより、角錐又は円錐状の仮設形状を形成し、各型板に対応する形状をなす雪塊又は氷塊からなるブロック片を、各型板に合わせて積み重ね接合して多角錐又は円錐形状を有する氷雪製建造物を形成することを特徴とする。
【発明の効果】
【０００６】
本発明によれば、各種のイベント会場等における商業的施設等に利用可能な多角錐又は円錐形状を有する氷雪製建造物を、数種の型枠を組み合わせることにより、容易に短時間でかつ安価に製作することができる。
【発明を実施するための最良の形態】
【０００７】
数種類の型枠を組み合わせることにより、容易に、多角錐又は円錐形状を有する氷雪製建造物を製作することを実現した。
【０００８】
添付図面を参照して、本発明に係る、多角錐又は円錐形状を有する氷雪製建造物及び、その製作方法について説明する。
【０００９】
(実施形態１)
図１は、本発明の一実施形態に係る四角錐の氷雪製建造物１２の鳥瞰図、図２は正面図、図３は平面図、図４は立面図である。本実施の形態に係る氷雪製建造物１２は、雪塊又は氷塊を材料とする壁面形成部が三角形状を有する三角形ブロック片１８（合計４個）と、壁面形成部がそれぞれ台形形状を有し、互いに左右対称の形状を有する一対の台形ブロック片２０及び２２、２４及び２６、２８及び３０（それぞれ合計４個）と、壁面形成部が四角形状を有する四角形ブロック片３２（合計３個），３４（合計６個），３６（合計２個）と、により構成されている。
【００１０】
三角形ブロック片１８は、４個を互いに隣り合わせて接合させることにより、四角錐の頂点を構成する。また、一対の台形ブロック片２０及び２２、２４及び２６、２８及び３０は、第１側辺２０ａ及び２２ａ、２４ａ及び２６ａ、２８ａ及び３０ａと、第２側辺２０ｂ及び２２ｂ、２４ｂ及び２６ｂ、２８ｂ及び３０ｂと、をそれぞれ有し、第１側辺２０ａ及び２２ａを互いに隣り合わせて接合させることにより平面を形成する。一方、第２側辺２０ｂ及び２２ｂ、２４ｂ及び２６ｂ、２８ｂ及び３０ｂを互いに隣り合わせて接合することにより屈曲部を形成し、これにより、四角錐の４つの角が構成される。
【００１１】
また、台形ブロック片２０及び２２は、三角形ブロック片１８の下部に、台形ブロック片２４及び２６は、台形ブロック片２０及び２２の下部に、台形ブロック片２８及び３０は、台形ブロック片２４及び２６の下部に、それぞれ連続して接合され、連続した四角錐の角が構成される（図２）。
【００１２】
四角錐の４つの面のうちの３面は、台形ブロック片２４及び２６の間に四角形ブロック片３２が配設され、これらにより平面を形成するように接合される。また、図３示のように、台形ブロック片２８及び３０の間に２個の四角形ブロック片３４がそれぞれ隣り合って配設され、これらにより平面を形成するように接合される。
【００１３】
四角錐の残りの１面は、台形ブロック片２４及び２６の間にはブロック片が配設されず、空間を形成する。また、台形ブロック片２８及び３０には、四角形ブロック片３６がそれぞれ１個ずつ隣り合って配設され、それぞれ平面を形成するように接合される。これにより、隣り合う四角形ブロック片３６の間に空間が形成され、台形ブロック片２４及び２６間と、四角形ブロック片３６間とにより形成された空間によって出入口３８が構成される。
【００１４】
図５〜図１４は、三角形ブロック片１８、台形ブロック片２０及び２２、２４及び２６、２８及び３０、四角形ブロック片３２、３４及び３６を製作する際に使用する成形用の型枠を示した図である。
【００１５】
図５（ａ）及び図５（ｂ）に示される型枠４０は、三角形ブロック片１８を製作する際に使用する型枠であり、外壁面を構成する三角形状の外壁部４０ａを有する。また、内壁面を構成する部分である内壁部４０ｂは、外壁部４０ａよりも面積の小さい相似の三角形状を有し、外壁部４０ａと平行に配置され、頂点及び底辺が外壁部４０ａのそれらよりも下方に位置する。さらに、外壁部４０ａ及び内壁部４０ｂの底辺の間を閉鎖する底部４０ｃと、外壁部４０ａと内壁部４０ｂの左右両側辺を閉鎖する側壁４０ｄ及び４０ｅと、が設けられ、内部空間４０ｆにブロック片の材料となる雪、水が投入される。
【００１６】
図６（ａ）及び図６（ｂ）に示される型枠４２は、台形ブロック片２０を製作する場合に使用する型枠であり、外壁面を構成する台形形状の外壁部４２ａを有する。この外壁部４２ａの図６（ａ）中左側辺は上辺と底辺とを垂線で結ぶ形状を有し、図６（ａ）中右側辺は、上辺から底辺に向かって幅方向に広がる形状を有している。外壁部４２ａよりも小面積で相似形の内壁部４２ｂが、図５に示す型枠４０の外壁部４０ａと内壁部４０ｂと同間隔をあけて、外壁部４２ａと平行にかつ底辺が若干下方に位置するように配置されている。外壁部４２ａ及び内壁部４２ｂの上辺及び底辺の間をそれぞれ閉鎖するように上部４２ｃ及び底部４２ｄが設けられており、上部４２ｃ及び底部４２ｄは、外壁部４２ａから内壁部４２ｂに向かって、それぞれ所定の角度で傾斜する斜面となっている。上部４２ｃの傾斜角度は、型枠４０の底部４０ｃの傾斜角度と一致しており、それぞれ面接触可能に構成されている。外壁部４２ａと内壁部４２ｂとの間には、図６（ａ）中左右両側辺を閉鎖する側壁４２ｅ及び４２ｆが設けられており、側壁４２ｅは、上下方向に垂直に位置している。側壁４２ｆは、上部４２ｃから底部４２ｄ方向に向かって、また外壁部４２ａから内壁部４２ｂ方向に向かって、それぞれ所定の角度で傾斜する斜面となっている。側壁４２ｆの上下方向及び前後方向の傾斜角度は、型枠４０の側壁４０ｅとそれぞれ一致するように構成されており、型枠４２の内部空間４２ｇにはブロック片の材料となる雪、水が投入される。
【００１７】
なお、図７（ａ）及び図７（ｂ）に示される型枠４４は、台形ブロック片２２を製作する際に使用する型枠であるが、図６（ａ）及び（ｂ）に示した型枠４２と同様に、外壁部４４ａ、内壁部４４ｂ、上部４４ｃ、底部４４ｄ、側壁４４ｅ、側壁４４ｆ及び内部空間４４ｇを有し、型枠４２と左右対称の形状を有し、且つ寸法等は同様なため、その詳細な説明は省略する。
【００１８】
図８（ａ）及び図８（ｂ）に示される型枠４６は、台形ブロック片２４を製作する場合に使用する型枠であるが、外壁部４６ａ、内壁部４６ｂ、上部４６ｃ、底部４６ｄ、側壁４６ｅ及び側壁４６ｆにより構成される基本的構造、及び外壁部４６ａ及び内壁部４６ｂ間の幅寸法は、図６（ａ）及び（ｂ）に示した型枠４２と同様であるが、内壁部４６ｂの寸法及び外壁部４６ａに対する高さ方向の配置位置が異なっている。また、上部４６ｃと図６（ａ）に示す型枠４２の底部４２ｄの傾斜角度は互いに一致しており、互いに面接触可能である。また、側壁４６ｆの傾斜角度は図６（ａ）に示す側壁４２ｆと互いに一致しており、図８（ｂ）に示される型枠４６の内部空間４６ｇには、ブロック片の材料となる雪、水が投入される。
【００１９】
図９（ａ）及び図９（ｂ）に示される型枠４８は、四角形ブロック片３２を製作する場合に使用する型枠であるが、外壁面を構成する矩形の外壁部４８ａと、内壁面を構成する矩形の内壁部４８ｂとを有する。これら外壁部４８ａと内壁部４８ｂとは、図８（ａ）に示す型枠４６の外壁部４６ａ及び内壁部４６ｂと同じ幅寸法をあけて平行に配設されており、図９（ａ）中左右方向寸法は同寸法である。外壁部４８ａ及び内壁部４８ｂの高さ方向寸法は、それぞれ図８（ａ）に示す型枠４６の外壁部４６ａ及び内壁部４６ｂの高さ方向寸法と一致しており、外壁部４８ａ及び内壁部４８ｂの上辺及び底辺の間をそれぞれ閉鎖するように上部４８ｃ及び底部４８ｄが設けられている。上部４８ｃ及び底部４８ｄは、外壁部４８ａから内壁部４８ｂに向かって、それぞれ所定の角度で傾斜する斜面となっており、上部４８ｃの傾斜角度は、図８（ａ）に示す型枠４６の底部４６ｄの傾斜角度と一致し、互いに面接触可能である。また、外壁部４８ａと内壁部４８ｂとの間には、前記左右両側辺を閉鎖する垂直な側壁４８ｅ及び４８２がそれぞれ設けられており、図９（ｂ）に示される型枠４８の内部空間４８ｇには、ブロック片の材料となる雪、水が投入される。
【００２０】
図１０（ａ）及び図１０（ｂ）に示される型枠５０は、台形ブロック片２６を製作する際に使用する型枠であるが、図８に示した型枠４６と同様に、外壁部５０ａ、内壁部５０ｂ、上部５０ｃ、底部５０ｄ、側壁５０ｅ、側壁５０ｆ及び内部空間５０ｇを有し、図８（ａ）及び（ｂ）に示す型枠４６と左右対称の形状を有し、且つ寸法等は同様なため、その詳細な説明は省略する。
【００２１】
図１１（ａ）及び図１１（ｂ）に示される型枠５２は、台形ブロック片２８を製作する場合に使用する型枠である。外壁部５２ａ、内壁部５２ｂ、上部５２ｃ、底部５２ｄ、側壁５２ｅ及び側壁５２ｆにより構成されるという基本的構造、及び外壁部５２ａ及び内壁部５２ｂ間の幅寸法は、図６（ａ）及び（ｂ）に示す型枠４２と同様であるが、外壁部５２ａの高さ寸法、及び内壁部５２ｂの寸法及び外壁部５２ａに対する高さ方向の配置位置が異なっている。また、上部５２ｃは図８（ａ）に示す型枠４６の底部４６ｄと傾斜角度が互いに一致しており、面接触可能である。側壁５２ｆの傾斜角度は図８（ａ）に示す側壁４６ｆと一致しており、図１１（ｂ）に示される型枠５２の内部空間５２ｇには、ブロック片の材料となる雪、水が投入される。
【００２２】
図１２（ａ）及び図１２（ｂ）に示される型枠５４は、四角形ブロック片３４を製作する場合に使用する型枠である。外壁面を構成する矩形の外壁部５４ａと、内壁面を構成する矩形の内壁部５４ｂが図１１（ａ）に示す型枠５２と同じ幅寸法をあけて平行に配設されており、外壁部５４ａの図１２（ａ）中左右方向寸法は内壁部５４ｂと同寸法である。外壁部５４ａ及び内壁部５４ｂの高さ方向寸法は、それぞれ図１１（ａ）に示す型枠５２の外壁部５２ａ及び内壁部５２ｂの高さ方向寸法と一致しており、外壁部５４ａ及び内壁部５４ｂの上辺及び底辺の間をそれぞれ閉鎖するように上部５４ｃ及び底部５４ｄが設けられている。上部５４ｃ及び底部５４ｄは、外壁部５４ａから内壁部５４ｂに向かって、それぞれ所定の角度で傾斜する斜面となっており、上部５４の傾斜角度は、図８（ａ）に示す底部４６ｄ、図９（ａ）に示す底部４８ｄ及び図１０（ａ）に示す底部５０ｄとそれぞれ一致し、面接触可能である。また、外壁部５４ａと内壁部５４ｂとの間には、図１２（ａ）中左右両側辺を閉鎖する垂直な側壁５４ｅ及び５４ｆがそれぞれ設けられている。また、図１２（ｂ）に示される型枠５４の内部空間５４ｇには、ブロック片の材料となる雪、水が投入される。
【００２３】
図１３（ａ）及び図１３（ｂ）に示される型枠５６は、台形ブロック片３０を製作する際に使用する型枠であるが、図１１（ａ）及び（ｂ）に示した型枠５２と同様に、外壁部５６ａ、内壁部５６ｂ、上部５６ｃ、底部５６ｄ、側壁５６ｅ、側壁５６ｆ及び内部空間５６ｇを有し、型枠５２と左右対称の形状を有し、且つ寸法等は同様なため、その詳細な説明は省略する。
【００２４】
図１４（ａ）及び図１４（ｂ）に示される型枠５８は、四角形ブロック片３６を製作する際に使用する型枠であるが、図１２に示した型枠５４と同様に、外壁部５８ａ、内壁部５８ｂ、上部５８ｃ、底部５８ｄ、側壁５８ｅ、側壁５８ｆ及び内部空間５８ｇを有し、型枠５４とは図１４中左右方向の寸法が異なるだけで、他の寸法及び構造は同様なため、その詳細な説明は省略する。
【００２５】
次に、図１、図２、図３及び図４に示した四角錐の氷雪製建造物１２の製作方法について説明する。これらに示される氷雪製建造物１２の製作は、各ブロック片と対応する寸法形状に形成され、容易に組立て及び解体可能な複数の型板を組み立てることにより行われる。
【００２６】
まず、図１及び図３に示すように、合板等によって台形ブロック片２８及び３０、四角形ブロック片３４及び３６とそれぞれ対応する寸法形状に形成された台形型板Ａ１、台形型板Ｂ２、四角形型板４、及び四角形型板３を地上に立設する。このとき、出入口３８が形成される面は、台形型板Ａ１、台形型板Ｂ２及び２つの四角形型板３により構成され、図３中右端に、台形型板Ａ１が、これの第２側辺１ｂが右側に位置するように、また、図３中左端に、台形型板Ｂ２が、これの第２側辺２ｂが左側に位置するように、それぞれ配設される。台形型板Ａ１の第１側辺１ａ及び台形型板Ｂ２の第１側辺２ａにそれぞれ隣接して四角形型板３が配設され、それぞれ接合される。これにより、２つの四角形型板３の間には、出入口３８を構成する空間が形成される。
【００２７】
出入り口３８が形成されない他の３面は、それぞれ台形型板Ａ１、台形型板Ｂ２及び２つの四角形型板４により構成され、先に立設した台形型板Ａ１の第２側辺１ｂと、台形型板Ｂ２の第２側辺２ｂとが互いに隣接し、角錐の屈曲部を形成するように台形型板Ａ１と９０度の角度を成して台形型板Ｂ２を配設し、接合する。次に、台形型板Ｂ２の隣に四角形型板４を配置し、台形型板Ｂ２の第１側辺２ａと、四角形型板４の一側辺とが互いに隣接するように接合する。次に、この四角形型板４に隣り合ってもう１つの四角形型板４を配置し、一方の四角形型板４の他側辺に他方の四角形型板４の一側辺を接合する。次に、他方の四角形型板４に隣り合って台形型板Ａ１を配置し、他方の四角形型板４の他側辺と台形型板Ａ１の第１側辺１ａとを接合することにより、一平面が構成される。これらの工程をさらに２回繰り返すことにより、四角錐の１段目の仮設形状が組み立てられる。
【００２８】
次に、前記地上に立設した１段目の仮設形状の上に２段目の仮設形状の組立てを行う。
出入口３８が形成される面は、台形型板Ａ５、台形型板Ｂ６により構成され、図１中右側の台形型板Ａ１及び四角形型板３の上部に台形型板Ａ５を、これの第２側辺５ｂが右端に配置されるように接合する。これにより、台形型板Ａ５の第２側辺５ｂと台形型板Ａ１の第２側辺１ｂとが連続した辺となり、台形型板Ａ５の第１側辺５ａと四角形型板３の左側辺とが連続した辺となる。
また、図１中左側の台形型板Ｂ２及び四角形型板３の上部に台形型板Ｂ６を、これの第２側辺６ｂが左端に配置されるように接合する。これにより、台形型板Ｂ６の第２側辺６ｂと台形型板Ｂ２の第２側辺２ｂとが連続した辺となり、台形型板Ｂ６の第１側辺６ａと四角形型板３の右側辺とが連続した辺となる。
したがって、台形型板Ａ５と台形型板Ａ６の間に、地上から連続する出入口３８を構成する空間が形成される。
【００２９】
出入口３８が形成されない他の３面は、台形型板Ａ５、台形型板Ｂ６及び四角形型板７によりそれぞれ構成され、前記出入口３８が形成される面に配設された台形型板Ａ５と９０度の角度を成すように台形型板Ｂ６を配置し、台形型板Ａ５の第２側辺５ｂと台形型板Ｂ６の第２側辺６ｂとにより角錐の屈曲部を形成するように接合する。次に、台形型板Ｂ６に隣り合って四角形型板７を配置し、台形型板Ｂ６の第１側辺６ａと四角形型板７の一方の側辺とを接合する。四角形型板７のもう一方の隣には台形型板Ａ５を配置し、四角形型板７の他方の側辺と台形型板Ａ５の第１側辺５ａとを接合する。また、各型板Ｂ６、７及びＡ５とこれらの下部に位置する型板Ｂ２、４及びＡ１とをそれぞれ接合することにより、一平面が構成され、これらの工程をさらに２回繰り返すことにより、四角錐の２段目の仮設形状が組み立てられる。
【００３０】
次に、前記２段目の仮設形状の上に３段目の仮設形状の組立てを行う。３段目の全ての面は、台形型板Ａ８及び台形型板Ｂ９を１つずつ用いることにより構成される。
まず、出入口３８を形成する面において、図１中右側の台形型板Ａ５の上部に台形型板Ａ８を、これの第２側辺８ｂが右端に配置されるように接合する。これにより、台形型板Ａ８の第２側辺８ｂと台形型板Ａ５の第２側辺５ｂとが連続した辺となる。また、図１中左側の台形型板Ｂ６の上部に台形型板Ｂ９を、これの第２側辺９ｂが左端に配置されるように接合する。これにより、台形型板Ｂ９の第２側辺９ｂと台形型板Ｂ６の第２側辺６ｂとが連続した辺となる。また、台形型板Ａ８の第１側辺８ａと台形型板Ａ９の第１側辺９ａとは、隣接しており、これらを接合し、平面を構成する。これにより、台形型板Ａ８の下部と台形型板Ａ９の下部とにより出入口３８の上部が構成される。
【００３１】
一方、出入口３８を形成しない他の３面においては、前記出入口３８が形成される面に配設された台形型板Ａ８と台形型板Ｂ９とを、互いに９０度の角度を成すように隣り合って配設し、台形型板Ａ８の第２側辺８ｂと台形型板Ｂ９の第２側辺９ｂとにより角錐の屈曲部を形成するように接合する。また、台形型板Ｂ９の下部と台形型板Ｂ６及び四角形型板７の上部とを接合する。次に、台形型板Ｂ９に隣り合って台形型板Ａ８を配置し、互いの第１側辺９ａ及び８ａ同士を接合するとともに、台形型板Ａ８の下部と四角形型板７及び台形型板Ａ５の上部とをそれぞれ接合する。これにより、台形型板Ａ８の第２側辺８ｂと台形型板Ａ５の第２側辺５ｂとにより連続した角が形成されるとともに、一平面が構成される。これらの工程をさらに２回繰り返すことにより、四角錐の３段目の仮設形状が組み立てられる。
【００３２】
次に、前記３段目の仮設形状の上に４段目の仮設形状の組立てを行う。４段目は、全ての面が、四角形型板１０を１つずつ用いることにより構成される。
まず、台形型板Ａ８及び台形型板Ｂ９の上部に、三角形型板１０の両側辺と台形型板Ａ８の第２側辺８ｂ及び台形型板Ｂ９の第２側辺９ｂとが連続した辺となるように配置し接合する。次に、次の面の台形型板Ａ８及び台形型板Ｂ９の上部に、三角形型板１０の両側辺と台形型板Ａ８の第２側辺８ｂ及び台形型板Ｂ９の第２側辺９ｂとが連続した辺となるように、また、隣り合う三角形型板１０同士が互いに９０度の角度を成すように配置し、三角形型板１０の側辺同士が角錐の屈曲部を構成するように接合する。この工程をさらに２回繰り返すことにより、四角錐の４段目の仮設形状が組み立てられる。
【００３３】
次に、上述のように型板を利用して形成した仮設形状に、上述の各型枠によって予め形成してあるブロック片を積み重ね接合していく。具体的には、まず、台形型板Ａ１、及びＢ２、及び四角形型板３及び４を支えとして、これらの形状寸法にそれぞれ対応する型枠５２、５６，５８及び５４により製造した台形ブロック片２８及び３０、四角形ブロック片３６及び３４を地上に立設固定するとともに、隣接するブロック片の側面同士を接合する。このとき、互いに隣接する台形ブロック片２８及び３０の第２側面同士は、互いに接触する際、９０度の角度を成すように成形されているので、台形ブロック片２８及び３０は９０度の角度を成して接合されることになる。また、台形ブロック片２８及び３０の第１側面と四角形ブロック片３６及び３４の側面は、平面を形成するように成形されているので、台形ブロック片２８及び３０、及び四角形ブロック片３６及び３４により平面が形成される。このようにして、四角錐の氷雪製建造物１２の１段目が形成される。
【００３４】
次に、台形型板Ａ５及びＢ６、及び四角形型板７を支えとして台形ブロック片２４及び２６、及び四角形ブロック片３２をそれぞれ対応する型板にあわせ、１段目のブロック片の上に設置し、隣接するブロック片の側面同士、及び上下に接触するブロック片の面同士を接合する。このとき、互いに隣接する台形ブロック片２４及び２６は、これらの第２側面同士を接合することにより、９０度の角度を成すように接合され、１段目の台形ブロック片２８及び３０の第２側面と連続した屈曲部を形成する。また、台形ブロック片２４及び２６の第１側面と四角形ブロック片３２の側面は、これらを接合することにより平面を形成するように成形されているので、台形ブロック片２４及び２６、及び四角形ブロック片３２により平面が形成される。このようにして、四角錐の氷雪製建造物１２の２段目が形成される。
【００３５】
次に、台形型板Ａ８及びＢ９を支えとして台形ブロック片２０及び２２をそれぞれ対応する型板にあわせ、２段目のブロック片の上に設置し、隣接するブロック片の側面同士、及び上下に接触するブロック片の面同士を接合する。このとき、互いに隣接する台形ブロック片２０及び２２は、これらの第２側面同士を接合することにより、９０度の角度を成すように接合され、２段目の台形ブロック片２４及び２６の第２側面と連続した屈曲部を形成する。また、台形ブロック片２０及び２２の第１側面同士は、これらを接合することにより平面を形成するように成形されているので、台形ブロック片２０及び２２により平面が形成される。このようにして、四角錐の氷雪製建造物１２の３段目が形成される。
【００３６】
次に、台形型板１０を支えとして三角形ブロック片１８を型板にあわせ、３段目のブロック片の上に設置し、隣接する三角形ブロック片の側面同士、及び上下に接触するブロック片の面同士を接合する。このとき、互いに隣接する三角形ブロック片１８は、これらの側面同士を接合することにより９０度の角度を成すように接合され、３段目の台形ブロック片２０及び２２の第２側面と連続した屈曲部を形成する。また、４つの三角形ブロック片１８によって四角錐の頂点が形成され、４段目が形成される。これにより、図１、図２及び図４に示される四角錐の氷雪製建造物１２が完成する。なお、ブロック片同士の接合には、雪、或いは雪に適量の水を加えたシャーベット状の雪を用いることができる。
【００３７】
(実施形態２)
図１５及び図１６にブロック片を６段積み重ねた四角錐の氷雪製建造物６０の正面図及び裏面図をそれぞれ示す。
これは、実施形態１に示す４段の四角錐の氷雪製建造物１２における出入口３８部分において、１段目の四角形ブロック片３６に代えて四角形ブロック片３４を台形ブロック片２８及び３０の間に配設し、２段目の台形ブロック片２４及び２６の間に四角形ブロック片３２を配設して、出入口３８を塞いだものの下部に、ブロック片を２段設けることにより製作される。
【００３８】
すなわち、図１５に示すように、１段目の出入口６２が形成される面には、実施形態１の１段目と同様に左右対称の台形ブロック片６４及び６６をそれぞれ左右端に配設し、台形ブロック片６４及び６６の内側に隣接させて、四角形ブロック片６８をそれぞれ接合し、四角形ブロック片６８の内側に隣接させて、四角形ブロック片６８よりも左右の幅方向寸法が小さい四角形ブロック片７０をそれぞれ接合し、出入口６２側の一段目を形成する。
【００３９】
次に、図１６に示すように、その他の３面は、左右に配設した台形ブロック片６４及び６６間に四角形ブロック片６８を４つ接合することにより構成される。また、隣り合う台形ブロック片６４及び６６間の接合も実施形態１と同様であり、９０度の屈曲部が形成される。
【００４０】
次に、図１５に示すように、２段目の出入口６２が形成される面には、これの左右端に左右対称の台形ブロック片７２及び７４をそれぞれ配設し、それぞれに隣接して四角形ブロック片７６を接合する。また、互いに接触する１段目のブロック片ともそれぞれ接合することにより形成される。
【００４１】
また、図１６に示すように、その他の３面は、左右に配設した台形ブロック片７２及び７４の間に互いに隣接させて四角形ブロック片７６を３つ接合するとともに上下方向に互いに接触する１段目のブロック片ともそれぞれ接合することにより構成される。また、隣り合う台形ブロック片６４及び６６の間の接合も実施形態１と同様であり、９０度の屈曲部が形成される。
このようにして、６段の氷雪製建造物６０が製作される。
【００４２】
(実施形態３)
図１７及び図１８にブロック片を７段積み重ねた四角錐の氷雪製建造物８０の正面図及び裏面図をそれぞれ示す。
これは、実施形態３の６段の四角錐の氷雪製建造物６０における２段目の出入口３８部分を、四角形ブロック片７４で塞ぎ、１段目の下部にさらにもう１段製作したものである。
【００４３】
すなわち、図１７に示すように、１段目の出入口８２が形成される面には、実施形態１の１段目と同様に左右対称の台形ブロック片８４及び８６をそれぞれ左右端に配設し、台形ブロック片８４及び８６の内側に互いに隣接させて、四角形ブロック片８８をそれぞれ２つずつ接合し、出入口８２側の一段目を構成する。
【００４４】
また、図１８に示すように、その他の３面は、左右に配設した台形ブロック片８４及び８６間に互いに隣接させて、四角形ブロック片８８を５つ接合することにより構成される。隣り合う台形ブロック片８４及び８６間の接合も実施形態１と同様であり、互いに９０度の角度を成して接合され、すべての段において連続した屈曲部が形成される。これにより、７段の四角錐の氷雪製建造物８０を製作することができる。
【００４５】
このように、四角錐の氷雪製建造物の段数は、左右両端に配設される台形ブロック片間に配設する四角形ブロック片の数を増減させることにより、変化させることができる。例えば、段数を１段増やす場合、各面の一段目を構成する四角形ブロック片の数を１つ増やすことにより、１段増やすことができる。
【００４６】
(実施形態４)
次に、図１９及び図２０に、円錐の氷雪製建造物の型枠９２及び９４を示す。
型枠９２は、氷雪製建造物の頂点を構成する円錐形のブロック片を製作するためのものであり、円錐形の外壁部９２ａ、外壁部９２ａと同心且つ小径の内壁部９２ｂ、外壁部９２ａと内壁部９２ｂとの間の下部空間を塞ぐ下部９２ｃ、及び外壁部９２ａと内壁部９２ｂとの間に形成され、雪、水などブロック片の材料が投入される内部空間９２ｄにより構成される。
【００４７】
また、型枠９４は、円筒形のブロック片を製作するための型枠であり、型枠９２と同角度で上部から下方に向かって傾斜する円筒を軸方向に２分割した形状を有している。円筒の外壁を形成する外壁部９４ａ、外壁部９４ａと同心且つ小径であり、円筒の内壁を形成する内壁部９４ｂ、外壁部９４ａと内壁部９４ｂとの上部空間を塞ぐ上部９４ｃと、下部空間を塞ぐ下部９４ｄ、及び外壁部９４ａと内壁部９４ｂとの間に形成され、雪、水などブロック片の材料が投入される内部空間９４ｅにより構成される。
【００４８】
これの制作方法も、実施形態１と同様であり、以下に簡単に説明する。
前記円錐形ブロック片及び円筒形ブロック片の形状寸法に対応した円錐形型板及び円筒形型板を用い。２つの円筒形型板を互いに隣り合わせて地上に立設して接合し、円筒形型板の上部に円錐形型板を接合して、仮設形状を形成する。次に、２つの円筒形ブロック片を円筒形型板を支えとして地上に立設し、隣り合う円筒形ブロック片の側面同士を接合した後、円錐形ブロック片を円筒形ブロック片の上部に配設し、円錐形ブロック片の下部と円筒形ブロック片の上部とを接合することにより製作される。ブロック片同士の接合には、実施形態１と同様、雪、或いは雪に適量の水を加えたシャーベット状の雪を用いることができる。
【００４９】
ここで、前記実施形態１，２及び３で用いた三角形型枠、台形型枠及び四角形型枠の好適な寸法例を図２１（ａ）、（ｂ）、（ｃ）、図２２（ａ）、（ｂ）、（ｃ）、（ｄ）、（ｅ）、図２３（ａ）、（ｂ）、図２４（ａ）、（ｂ）を用いて示す。
【００５０】
図５に示す型枠４０の好適な一例である図２１（ａ）に示すような三角形型枠の場合、これの頂点と底辺を結ぶ高さ方向寸法は、頂点と底辺を結ぶ線の断面図である図２１（ｂ）に示すように、外壁側の内寸が１００ｃｍ、内壁側の内寸が５１．５ｃｍであり、外壁と内壁との間の幅が、２５ｃｍである。また、Ｃ面の寸法は、図２１（ｃ）に示すように、外壁側の内寸が９０ｃｍ、内壁側の内寸が４６ｃｍ、外壁と内壁との間の幅方向寸法が２５ｃｍである。
【００５１】
次に、図６、図８、図１１に示す型枠４２，４６，５２の好適な一例である図２２（ａ）に示すような台形型枠の場合、これの上部であるＡ面の寸法は、図２２（ｂ）に示すように、外壁側の内寸が４５ｃｍ、内壁側の内寸が２３．５ｃｍであり、第１側面を形成するＢ面の寸法は、図２２（ｃ）に示すように、外壁側の内寸が８５ｃｍ、内壁側の内寸が７１ｃｍ、外壁と内壁との幅方向寸法が２５ｃｍである。また、第２側面を形成するＣ面の寸法は、図２２（ｄ）に示すように、外壁側の内寸が９６ｃｍ、内壁側の内寸が７９ｃｍ、外壁と内壁との間の幅方向寸法が２５ｃｍであり、下部を形成するＤ面の寸法は、図２２（ｅ）に示すように、外壁側の内寸が８７．５ｃｍ、内壁側の内寸が５８ｃｍ、内壁と外壁との幅方向寸法が２５ｃｍである。
【００５２】
なお、台形型枠は、一対の左右対称の型枠が形成されるため、図２２とは逆の形を有する型枠も前記と同寸法が好適であり、すなわち、図７、図１０、図１３に示す型枠４４，５０，５６にも適用される。
【００５３】
次に、図１４に示す型枠５８の好適な一例である図２３（ａ）に示すような四角形型枠の場合、これの上部であるＡ面及び下部であるＤ面の両側部間の幅方向の内寸が４２．５ｃｍ、これの側部であるＢ面及びＣ面の上下方向の内寸が８５ｃｍであり、図２３（ｂ）に示すように、外壁と内壁との間の幅方向寸法が２５ｃｍである。
【００５４】
次に、図９及び図１２に示す型枠４８及び５４の好適な一例である図２４（ａ）に示すような四角形型枠の場合、これの上部であるＡ面及び下部であるＤ面の両側部間の幅方向の内寸が４２，５ｃｍ、これの側部を形成するＢ面及びＣ面の外壁側の高さ方向の内寸が８５ｃｍ、内壁側の高さ方向の内寸が７１ｃｍである。また、図２４（ｂ）に示すように、外壁と内壁との間の幅方向寸法が２５ｃｍである。
【００５５】
また、前記実施形態１，２及び３では、四角錐の氷雪製建造物について、また、実施形態４では、円錐の氷雪製建造物について説明したが、氷雪製建造物は、四角錐や円錐に限らず、三角錐や、五角錐、六角錐、八角錐以上の多角形の角錐であっても良いことは勿論である。
さらには、前記実施形態４では、２段で構成される円錐の氷雪製建造物について説明したが、円錐形ブロック片を上下方向に積み重ねることにより、任意の段数の氷雪製建造物を製作することができる。
上記の例は、氷のブロックを積み重ねて氷雪製建造物１２を形成したものであるが、支えの枠を予め作製してブロック片を組み立てていくようにしても良い。
【００５６】
次に、説明が前後するが、図２５により、４段の四角錐の氷雪製建造物の製作工程を具体的に説明する。図２５（ａ）は、型枠４０に水を入れる状態を示す。型枠４０内には、氷ブロックを取り外しし易いように、プラスチックシート等をいれておいても良い。図２５（ｂ）は、仮設形状に型枠（パネル）１００を組み立てる工程を示す。パネル１００同士の連結は、金属の支え板１０１を型枠（パネル）１００の結合部分に裏側から架け渡し、手で廻せるボルトで締め付けるようにする。図２５（ｃ）は仮設形状に組立てられたパネル１００の完成工程を示す。図２５（ｄ）は型枠４０からブロック片２０を外す工程である。型枠４０の内側にはめ込んだプラスチックシートを引っ張り出すようにしてブロック片２０を取り出すようにすると取り出し易い。なお、型枠４０によりブロック片２０を製作する例について説明するが、他の型枠についても同様であるので、ここでは省略する。図２５（ｅ）は仮設形状に沿ってブロック片を下から順に組み立てる工程を示す。図２５（ｆ）は仮設形状の型枠（パネル）１００をボルトを外すことにより取り外す工程を示す図である。出入り口から氷雪建造物の内部に入って、ボルトを緩めて支え板１０１外して、パネル１００を内側から取り出すようにする。
【産業上の利用可能性】
【００５７】
数種の型枠を組み合わせることにより、形の整った多角錐または円錐形状を有する氷雪製建造物を、容易に短時間かつ安価に製作することができるので、各種のイベント会場等における商業的施設等に利用可能である。
【図面の簡単な説明】
【００５８】
【図１】４段の四角錐の氷雪製建造物を示す鳥瞰図である。（実施形態１）
【図２】４段の四角錐の氷雪製建造物を示す正面図である。（実施形態１）
【図３】４段の四角錐の氷雪製建造物の１段目を示す平面図である。（実施形態１）
【図４】４段の四角錐の氷雪製建造物を示す立面図である。（実施形態１）
【図５】（ａ）は三角形型枠を示す正面図、（ｂ）は（ａ）のＡ−Ａ断面図である。（実施形態１）
【図６】（ａ）は台形型枠Ａを示す正面図、（ｂ）は（ａ）のＢ−Ｂ断面図である。（実施形態１）
【図７】（ａ）は台形型枠Ｂを示す正面図、（ｂ）は（ａ）のＣ−Ｃ断面図である。（実施形態１）
【図８】（ａ）は台形型枠Ａを示す正面図、（ｂ）は（ａ）のＤ−Ｄ断面図である。（実施形態１）
【図９】（ａ）は四角形型枠を示す正面図、（ｂ）は（ａ）のＥ−Ｅ断面図である。（実施形態１）
【図１０】（ａ）は台形型枠Ｂを示す正面図、（ｂ）は（ａ）のＦ−Ｆ断面図である。（実施形態１）
【図１１】（ａ）は台形型枠Ａを示す正面図、（ｂ）は（ａ）のＧ−Ｇ断面図である。（実施形態１）
【図１２】（ａ）は四角形型枠を示す正面図、（ｂ）は（ａ）のＨ−Ｈ断面図である。（実施形態１）
【図１３】（ａ）は台形型枠Ｂを示す正面図、（ｂ）は（ａ）のＩ−Ｉ断面図である。（実施形態１）
【図１４】（ａ）は四角形型枠を示す正面図、（ｂ）は（ａ）のＪ−Ｊ断面図である。（実施形態１）
【図１５】６段の四角錐の氷雪製建造物を示す正面図である。（実施形態２）
【図１６】６段の四角錐の氷雪製建造物を示す裏面図である。（実施形態２）
【図１７】７段の四角錐の氷雪製建造物を示す正面図である。（実施形態３）
【図１８】７段の四角錐の氷雪製建造物を示す裏面図である。（実施形態３）
【図１９】三角錐の氷雪製建造物の三角錐型枠を示す図である。（実施形態４）
【図２０】三角錐の氷雪製建造物の円筒形型枠を示す図である。（実施形態４）
【図２１】（ａ）は三角形型枠を示す正面図、（ｂ）は（ａ）のＡ面及びＢ面、（ｃ）は（ａ）のＣ面である。
【図２２】（ａ）は台形型枠を示す正面図、（ｂ）は（ａ）のＡ面、（ｃ）は（ａ）のＢ面、（ｄ）は（ａ）のＣ面、（ｅ）は（ａ）のＤ面である。
【図２３】（ａ）は四角形型枠を示す正面図、（ｂ）は（ａ）のＡ及びＤ面である。
【図２４】（ａ）は四角形型枠を示す正面図、（ｂ）は（ａ）のＢ及びＣ面である。
【図２５Ａ】４段の四角錐の氷雪製建造物の製作工程を説明する図であり、（ａ）は、型枠に水をいれる工程、（ｂ）は、仮設形状に型板（パネル）を組み立てる工程、（ｃ）は仮設形状の完成工程を示す図である。
【図２５Ｂ】４段の四角錐の氷雪製建造物の製作工程を説明する図であり、（ｄ）は型枠からブロック片を外す工程、（ｅ）は仮設形状に沿ってブロック片を組み立てる工程、（ｆ）は仮設形状の型板（パネル）を取り外す工程を示す図である。
【符号の説明】
【００５９】
Ａ１，Ａ５，Ａ８    台形型板
Ｂ２，Ｂ６，Ｂ９    台形型板
１ａ、２ａ    第１側辺
１ｂ、２ｂ    第２側辺
３，４，７    四角形型板
１０  三角形型板
１２  四角錐の氷雪製建造物
１８  三角形ブロック片
２０，２２，２４，２６，２８，３０  台形ブロック片
３２，３４，３６  四角形ブロック片
【図１】
2006177085.tif 000003
【図２】
2006177085.tif 000004
【図３】
2006177085.tif 000005
【図４】
2006177085.tif 000006
【図５】
2006177085.tif 000007
【図６】
2006177085.tif 000008
【図７】
2006177085.tif 000009
【図８】
2006177085.tif 000010
【図９】
2006177085.tif 000011
【図１０】
2006177085.tif 000012
【図１１】
2006177085.tif 000013
【図１２】
2006177085.tif 000014
【図１３】
2006177085.tif 000015
【図１４】
2006177085.tif 000016
【図１５】
2006177085.tif 000017
【図１６】
2006177085.tif 000018
【図１７】
2006177085.tif 000019
【図１８】
2006177085.tif 000020
【図１９】
2006177085.tif 000021
【図２０】
2006177085.tif 000022
【図２１】
2006177085.tif 000023
【図２２】
2006177085.tif 000024
【図２３】
2006177085.tif 000025
【図２４】
2006177085.tif 000026
【図２５Ａ】
2006177085.tif 000027
【図２５Ｂ】
2006177085.tif 000028